(57)【要約】【課題】放電セル内の電荷を活性化させることで、放電不良の発生を防止する。【解決手段】走査電極と維持電極とデータ電極とを有する放電セルを含む画素が複数設けられたプラズマディスプレイパネル１０と、書込み期間と、維持期間と、を有し、１フィールド期間に複数設けられた、サブフィールドごとに、走査電極、維持電極及びデータ電極に駆動電圧を印加する駆動部１１６と、フレームにおける入力映像信号の輝度変化を表す指標を検出する検出部１１１と、検出部１１１により検出された指標が予め設定された閾値以上か否かを判定する判定部１１３と、指標が閾値以上と判定部１１３により判定されると、駆動部１１６を制御して、放電セルを強制的に発光させる制御部１１３，１１４とを備えた。【選択図】図１
2012225965.tif 000002
【特許請求の範囲】
【請求項１】
フレームごとに入力される入力映像信号に基づく映像を表示するプラズマディスプレイ装置であって、
走査電極と維持電極とデータ電極とを有する放電セルを含む画素が複数設けられたプラズマディスプレイパネルと、
前記走査電極に走査パルスを印加するとともに前記データ電極に書込みパルスを印加して前記放電セルで選択的に書込み放電を発生させる書込み期間と、前記走査電極および前記維持電極に輝度重みに応じた維持パルスを交互に印加して、前記書込み期間において選択された放電セルで維持放電を発生させる維持期間と、を有し、１フィールド期間に複数設けられた、サブフィールドごとに、前記走査電極、前記維持電極及び前記データ電極に駆動電圧を印加する駆動部と、
前記フレームにおける前記入力映像信号の輝度変化を表す指標を検出する検出部と、
前記検出部により検出された前記指標が予め設定された閾値以上か否かを判定する判定部と、
前記指標が前記閾値以上と前記判定部により判定されると、前記駆動部を制御して、前記放電セルを強制的に発光させる制御部と
を備えたことを特徴とするプラズマディスプレイ装置。
【請求項２】
前記検出部は、前記指標として前記入力映像信号の周波数を検出し、
前記判定部は、前記検出部により検出された前記周波数が前記閾値以上か否かを判定することを特徴とする請求項１に記載のプラズマディスプレイ装置。
【請求項３】
前記検出部は、前記指標として、注目画素の前記入力映像信号の輝度と前記注目画素に隣接する複数の隣接画素の前記入力映像信号の各輝度との差分をそれぞれ求め、求めた各差分に基づきエッジの数を検出し、
前記判定部は、前記検出部により検出された前記エッジの数が前記閾値以上か否かを判定することを特徴とする請求項１に記載のプラズマディスプレイ装置。
【請求項４】
前記検出部は、前記フレームごとに前記指標を検出し、
前記判定部は、前記検出部により検出された前記指標が前記閾値以上か否かを前記フレームごとに判定することを特徴とする請求項１ないし３のいずれか１項に記載のプラズマディスプレイ装置。
【請求項５】
前記検出部は、１フレームを複数のブロックに分割し、前記ブロックごとに前記指標を検出し、
前記判定部は、前記検出部により検出された前記指標が前記閾値以上か否かを前記ブロックごとに判定し、
前記制御部は、前記駆動部を制御して、前記指標が前記閾値以上と前記判定部により判定された前記ブロックに対応する前記放電セルを強制的に発光させることを特徴とする請求項１ないし３のいずれか１項に記載のプラズマディスプレイ装置。
【請求項６】
それぞれ複数の画素を含む複数のブロックに１フレームを分割し、
前記複数のブロックは、第１ブロックと前記第１ブロックに隣接する第２ブロックとを含み、
前記第１ブロックの中央近傍の画素を第１画素とし、前記第２ブロックの中央近傍の画素を第２画素としたとき、
前記検出部は、前記第１画素及び前記第２画素の前記指標をそれぞれ検出し、前記第１ブロックの前記第１画素以外の画素であって前記第２ブロックに隣接する第３画素の前記指標を、前記第１画素の前記指標と前記第２画素の前記指標とを用いて求めることを特徴とする請求項１ないし３のいずれか１項に記載のプラズマディスプレイ装置。
【請求項７】
前記検出部は、前記第３画素の前記指標を、前記第１画素の前記指標と前記第２画素の前記指標とを用いて線形補間により求めることを特徴とする請求項６に記載のプラズマディスプレイ装置。
【請求項８】
前記検出部は、前記指標を前記画素ごとに検出し、
前記判定部は、前記検出部により検出された前記指標が前記閾値以上か否かを前記画素ごとに判定し、
前記制御部は、前記駆動部を制御して、前記指標が前記閾値以上と前記判定部により判定された前記画素に対応する前記放電セルを強制的に発光させることを特徴とする請求項１ないし３のいずれか１項に記載のプラズマディスプレイ装置。
【請求項９】
前記制御部は、前記駆動部を制御して、前記走査電極と前記データ電極及び前記維持電極との間に駆動電圧を印加して前記放電セル内の電荷を活性化させるための初期化放電を発生させる初期化期間を前記サブフィールドに設けないことを特徴とする請求項１ないし８のいずれか１項に記載のプラズマディスプレイ装置。
【請求項１０】
前記制御部は、前記指標が前記閾値以上と前記判定部により判定されると、前記入力映像信号の信号レベルを上昇させた補正映像信号を生成する信号上昇処理部を含み、前記放電セルを強制的に発光させるとは、前記信号上昇処理部により生成された前記補正映像信号に基づき前記駆動部を制御することである請求項１ないし９のいずれか１項に記載のプラズマディスプレイ装置。
【請求項１１】
前記信号上昇処理部は、前記入力映像信号の信号レベル全体に亘って、前記入力映像信号の信号レベルを上昇させて前記補正映像信号を生成することを特徴とする請求項１０に記載のプラズマディスプレイ装置。
【請求項１２】
前記信号上昇処理部は、前記入力映像信号の信号レベルの最小値を上昇させて前記補正映像信号を生成することを特徴とする請求項１０に記載のプラズマディスプレイ装置。
【請求項１３】
前記信号上昇処理部は、前記入力映像信号の信号レベルが所定値以下の信号レベル全体を上昇させて前記補正映像信号を生成することを特徴とする請求項１０に記載のプラズマディスプレイ装置。
【請求項１４】
前記信号上昇処理部は、前記補正映像信号の生成開始時から前記補正映像信号の生成開始後の第１時点まで、前記補正映像信号の信号レベルを前記入力映像信号の信号レベルから上昇させ、前記第１時点で上昇を停止させて前記第１時点後の第２時点まで同一レベルを維持し、前記第２時点から前記第２時点後の第３時点まで前記補正映像信号の信号レベルを低下させ、前記第３時点で前記補正映像信号の信号レベルを前記入力映像信号の信号レベルに戻して前記補正映像信号の生成を終了することを特徴とする請求項１０ないし１３のいずれか１項に記載のプラズマディスプレイ装置。
【請求項１５】
前記信号上昇処理部は、前記補正映像信号の生成開始時から前記補正映像信号の生成開始後の第４時点まで、前記補正映像信号の信号レベルを前記入力映像信号の信号レベルから上昇させ、前記第４時点で反転させて前記第４時点後の第５時点まで前記補正映像信号の信号レベルを低下させ、前記第５時点で前記補正映像信号の信号レベルを前記入力映像信号の信号レベルに戻して前記補正映像信号の生成を終了することを特徴とする請求項１０ないし１３のいずれか１項に記載のプラズマディスプレイ装置。
【請求項１６】
前記放電セルを強制的に発光させるとは、前記走査電極と前記データ電極及び前記維持電極との間に駆動電圧を印加して前記放電セル内の電荷を活性化させるための初期化放電を発生させる初期化期間を前記サブフィールドの前記書込み期間の直前に設けることである請求項１ないし８のいずれか１項に記載のプラズマディスプレイ装置。
【請求項１７】
走査電極と維持電極とデータ電極とを有する放電セルを含む画素が複数設けられたプラズマディスプレイパネルを駆動するプラズマディスプレイパネルの駆動方法であって、
前記走査電極に走査パルスを印加するとともに前記データ電極に書込みパルスを印加して前記放電セルで選択的に書込み放電を発生させる書込み期間と、前記走査電極および前記維持電極に輝度重みに応じた維持パルスを交互に印加して、前記書込み期間において選択された放電セルで維持放電を発生させる維持期間と、を有するサブフィールドを複数含んで１フィールド期間を構成し、
前記サブフィールドごとに、前記走査電極、前記維持電極及び前記データ電極に駆動電圧を印加し、
前記フレームにおける前記入力映像信号の輝度変化を表す指標を検出し、
検出された前記指標が予め設定された閾値以上か否かを判定し、
前記指標が前記閾値以上と判定されると、前記放電セルを強制的に発光させることを特徴とするプラズマディスプレイパネルの駆動方法。
【発明の詳細な説明】
【技術分野】
【０００１】
本発明は、交流面放電型のプラズマディスプレイ装置およびプラズマディスプレイパネルの駆動方法に関するものである。
【背景技術】
【０００２】
プラズマディスプレイパネル（以下、「パネル」と言う）は、走査電極と維持電極とデータ電極とを有する放電セルを複数備え、放電セル内でガス放電により発生させた紫外線で赤色、緑色および青色の各色の蛍光体を励起発光させてカラー表示を行っている。
【０００３】
パネルを駆動する方法としてはサブフィールド法、すなわち初期化期間、書込み期間、維持期間及び消去期間を有するサブフィールドを複数用いて１つのフィールドを構成し、発光させるサブフィールドの組み合わせによって階調表示を行う方法が一般的である。各サブフィールドの初期化期間には初期化動作、書込み期間には書込み動作、維持期間には維持動作、消去期間には消去動作が行われる。
【０００４】
初期化動作は、初期化放電を発生し、続く書込み動作が好適に行われるように放電セル内の電荷を活性化させる動作である。書込み動作は、表示する画像に応じて放電セルで選択的に書込み放電を発生し壁電荷を形成する動作である。維持動作は、表示電極対に交互に維持パルスを印加して維持放電を発生させ、対応する放電セルの蛍光体層を発光させる動作である。消去動作は、書込み放電を発生した放電セルで選択的に消去放電を発生して壁電荷の履歴を消去し、続く書込み放電に必要な壁電荷を各電極に形成する動作である。
【０００５】
維持放電による蛍光体層の発光は、階調表示に関係する発光であり、その他の発光は階調表示に関係しない発光である。つまり、維持期間における維持動作では、サブフィールド毎に予め決められた輝度重みに応じた数の維持パルスにより維持放電を発生させて放電セルを発光させている。
【０００６】
従来、維持放電以外の階調表示に関係しない発光を極力減らし、サブフィールド法において最も低い階調である黒を表示する際の輝度を下げてコントラストを向上させることが求められている。特に、直前のサブフィールドの動作にかかわらず初期化放電を発生させる強制初期化動作を行うと、黒を表示する際の輝度を下げるのが困難になる。そこで、強制初期化動作を行う初期化期間を設けないようにすることが提案されている（特許文献１参照）。強制初期化動作には、続く書込み期間において書込み放電を発生させるために必要な壁電荷を蓄積する機能がある。したがって、単に、強制初期化動作を行わないだけでは、書込み放電が発生しないなど、放電不良が発生する。そこで、特許文献１では、書込み期間において、各電極に印加する電圧レベルを制御することで、放電不良の発生を防止している。
【先行技術文献】
【特許文献】
【０００７】
【特許文献１】国際公開第２０１０／１４３４０３号
【発明の概要】
【発明が解決しようとする課題】
【０００８】
一方、上記特許文献１に記載のように電圧レベルを制御することなく、単に、初期化期間を設けない場合には、放電セル内の電荷を活性化させる効果がなくなるため、書込み放電が好適に行われず、放電不良発生の可能性が高くなる。放電不良が発生すると、階調を正しく表現できず、画質が劣化する。また、初期化動作を行う初期化期間が設けられている場合でも、放電不良が発生することがあり得る。
【０００９】
本発明は、上記課題を解決するもので、放電セル内の電荷を活性化させることで、放電不良の発生を防止することができるプラズマディスプレイ装置およびプラズマディスプレイパネルの駆動方法を提供することを目的とする。
【課題を解決するための手段】
【００１０】
本発明の一局面に係るプラズマディスプレイ装置は、フレームごとに入力される入力映像信号に基づく映像を表示するプラズマディスプレイ装置であって、走査電極と維持電極とデータ電極とを有する放電セルを含む画素が複数設けられたプラズマディスプレイパネルと、前記走査電極に走査パルスを印加するとともに前記データ電極に書込みパルスを印加して前記放電セルで選択的に書込み放電を発生させる書込み期間と、前記走査電極および前記維持電極に輝度重みに応じた維持パルスを交互に印加して、前記書込み期間において選択された放電セルで維持放電を発生させる維持期間と、を有し、１フィールド期間に複数設けられた、サブフィールドごとに、前記走査電極、前記維持電極及び前記データ電極に駆動電圧を印加する駆動部と、前記フレームにおける前記入力映像信号の輝度変化を表す指標を検出する検出部と、前記検出部により検出された前記指標が予め設定された閾値以上か否かを判定する判定部と、前記指標が前記閾値以上と前記判定部により判定されると、前記駆動部を制御して、前記放電セルを強制的に発光させる制御部とを備えた。
【００１１】
この構成によれば、プラズマディスプレイパネルには、走査電極と維持電極とデータ電極とを有する放電セルを含む画素が複数設けられている。サブフィールドは、走査電極に走査パルスを印加するとともにデータ電極に書込パルスを印加して放電セルで選択的に書込み放電を発生させる書込み期間と、走査電極および維持電極に輝度重みに応じた維持パルスを交互に印加して、書込み期間において選択された放電セルで維持放電を発生させる維持期間と、を有し、１フィールド期間に複数設けられている。駆動部は、サブフィールドごとに、走査電極、維持電極及びデータ電極に駆動電圧を印加する。検出部は、フレームにおける入力映像信号の輝度変化を表す指標を検出する。判定部は、検出部により検出された指標が予め設定された閾値以上か否かを判定する。制御部は、指標が閾値以上と判定部により判定されると、駆動部を制御して、放電セルを強制的に発光させる。放電セルを強制的に発光させることにより、放電セル内の電荷を活性化させる効果を得ることができるため、放電不良の発生を防止することができる。輝度変化を表す指標が閾値以上のときに放電セルを強制的に発光させているため、放電セルの発光が目立たないという利点がある。
【００１２】
上記のプラズマディスプレイ装置において、前記検出部は、前記指標として前記入力映像信号の周波数を検出し、前記判定部は、前記検出部により検出された前記周波数が前記閾値以上か否かを判定することが好ましい。
【００１３】
この構成によれば、検出部は、入力映像信号の輝度変化を表す指標として入力映像信号の周波数を検出する。判定部は、検出部により検出された周波数が閾値以上か否かを判定する。したがって、入力映像信号の周波数を検出することで、放電セルの発光が視覚的に目立ちやすいか否かを好適に判定することができる。
【００１４】
上記のプラズマディスプレイ装置において、前記検出部は、前記指標として、注目画素の前記入力映像信号の輝度と前記注目画素に隣接する複数の隣接画素の前記入力映像信号の各輝度との差分をそれぞれ求め、求めた各差分に基づきエッジの数を検出し、前記判定部は、前記検出部により検出された前記エッジの数が前記閾値以上か否かを判定することが好ましい。
【００１５】
この構成によれば、検出部は、入力映像信号の輝度変化を表す指標として、注目画素の入力映像信号の輝度と注目画素に隣接する複数の隣接画素の入力映像信号の各輝度との差分をそれぞれ求め、求めた各差分に基づきエッジの数を検出する。判定部は、検出部により検出されたエッジの数が閾値以上か否かを判定する。したがって、エッジの数を検出することで、放電セルの発光が視覚的に目立ちやすいか否かを好適に判定することができる。
【００１６】
上記のプラズマディスプレイ装置において、前記検出部は、前記フレームごとに前記指標を検出し、前記判定部は、前記検出部により検出された前記指標が前記閾値以上か否かを前記フレームごとに判定することが好ましい。
【００１７】
この構成によれば、検出部は、フレームごとに指標を検出する。判定部は、検出部により検出された指標が閾値以上か否かをフレームごとに判定する。したがって、指標が閾値以上か否かを好適に判定することができる。また、検出された指標が閾値以上か否かをフレームごとに判定するので、少ない処理量で放電不良の発生を防止することができる。
【００１８】
上記のプラズマディスプレイ装置において、前記検出部は、１フレームを複数のブロックに分割し、前記ブロックごとに前記指標を検出し、前記判定部は、前記検出部により検出された前記指標が前記閾値以上か否かを前記ブロックごとに判定し、前記制御部は、前記駆動部を制御して、前記指標が前記閾値以上と前記判定部により判定された前記ブロックに対応する前記放電セルを強制的に発光させることが好ましい。
【００１９】
この構成によれば、検出部は、１フレームを複数のブロックに分割し、ブロックごとに指標を検出する。判定部は、検出部により検出された指標が閾値以上か否かをブロックごとに判定する。制御部は、駆動部を制御して、指標が閾値以上と判定部により判定されたブロックに対応する放電セルを強制的に発光させる。したがって、ブロックごとに、放電セル内の電荷を活性化させる効果を得ることができるため、放電セルを強制的に発光させたブロックにおける放電不良の発生を防止することができる。輝度変化を表す指標が閾値以上のブロックに対応する放電セルを強制的に発光させているため、放電セルの発光が比較的目立たないという利点がある。また、検出された指標が閾値以上か否かをブロックごとに判定するので、比較的少ない処理量で放電不良の発生を防止することができる。
【００２０】
上記のプラズマディスプレイ装置において、それぞれ複数の画素を含む複数のブロックに１フレームを分割し、前記複数のブロックは、第１ブロックと前記第１ブロックに隣接する第２ブロックとを含み、前記第１ブロックの中央近傍の画素を第１画素とし、前記第２ブロックの中央近傍の画素を第２画素としたとき、前記検出部は、前記第１画素及び前記第２画素の前記指標をそれぞれ検出し、前記第１ブロックの前記第１画素以外の画素であって前記第２ブロックに隣接する第３画素の前記指標を、前記第１画素の前記指標と前記第２画素の前記指標とを用いて求めることが好ましい。
【００２１】
この構成によれば、それぞれ複数の画素を含む複数のブロックに１フレームを分割する。複数のブロックは、第１ブロックと第１ブロックに隣接する第２ブロックとを含む。第１ブロックの中央近傍の画素を第１画素とし、前記第２ブロックの中央近傍の画素を第２画素とする。検出部は、第１画素及び第２画素の指標をそれぞれ検出する。検出部は、第１ブロックの第１画素以外の画素であって第２ブロックに隣接する第３画素の指標を、第１画素の指標と第２画素の指標とを用いて求める。したがって、第１画素及び第２画素の指標をそれぞれ検出するだけで、第３画素の指標を求めることができる。
【００２２】
上記のプラズマディスプレイ装置において、前記検出部は、前記第３画素の前記指標を、前記第１画素の前記指標と前記第２画素の前記指標とを用いて線形補間により求めることが好ましい。
【００２３】
この構成によれば、検出部は、第３画素の指標を、第１画素の指標と第２画素の指標とを用いて線形補間により求めるため、第３画素の指標を容易に求めることができる。
【００２４】
上記のプラズマディスプレイ装置において、前記検出部は、前記指標を前記画素ごとに検出し、前記判定部は、前記検出部により検出された前記指標が前記閾値以上か否かを前記画素ごとに判定し、前記制御部は、前記駆動部を制御して、前記指標が前記閾値以上と前記判定部により判定された前記画素に対応する前記放電セルを強制的に発光させることが好ましい。
【００２５】
この構成によれば、検出部は、指標を画素ごとに検出する。判定部は、検出部により検出された指標が閾値以上か否かを画素ごとに判定する。制御部は、駆動部を制御して、指標が閾値以上と判定部により判定された画素に対応する放電セルを強制的に発光させる。したがって、画素ごとに、放電セル内の電荷を活性化させる効果を得ることができるため、放電セルを強制的に発光させた画素における放電不良の発生を防止することができる。輝度変化を表す指標が閾値以上の画素に対応する放電セルを強制的に発光させているため、放電セルの発光が目立たないという利点がある。
【００２６】
上記のプラズマディスプレイ装置において、前記制御部は、前記駆動部を制御して、前記走査電極と前記データ電極及び前記維持電極との間に駆動電圧を印加して前記放電セル内の電荷を活性化させるための初期化放電を発生させる初期化期間を前記サブフィールドに設けないことが好ましい。
【００２７】
この構成によれば、制御部は、駆動部を制御して、走査電極とデータ電極及び維持電極との間に駆動電圧を印加して放電セル内の電荷を活性化させるための初期化放電を発生させる初期化期間をサブフィールドに設けない。したがって、初期化放電に起因する放電セルの発光を防止することができる。
【００２８】
上記のプラズマディスプレイ装置において、前記制御部は、前記指標が前記閾値以上と前記判定部により判定されると、前記入力映像信号の信号レベルを上昇させた補正映像信号を生成する信号上昇処理部を含み、前記放電セルを強制的に発光させるとは、前記信号上昇処理部により生成された前記補正映像信号に基づき前記駆動部を制御することであることが好ましい。
【００２９】
この構成によれば、制御部は、判定部により指標が閾値以上と判定されると、入力映像信号の信号レベルを上昇させた補正映像信号を生成する信号上昇処理部を含む。制御部は、信号上昇処理部により生成された補正映像信号に基づき駆動部を制御する。入力映像信号の信号レベルを上昇させた補正映像信号に基づき駆動部が制御されているため、補正映像信号より信号レベルの低い入力映像信号に基づき駆動部が制御される場合に比べて、放電セルが強制的に発光される。放電セルの強制的な発光によって、放電セル内の電荷を活性化させる効果を得ることができ、放電不良の発生を防止することができる。
【００３０】
上記のプラズマディスプレイ装置において、前記信号上昇処理部は、前記入力映像信号の信号レベル全体に亘って、前記入力映像信号の信号レベルを上昇させて前記補正映像信号を生成することが好ましい。
【００３１】
この構成によれば、信号上昇処理部は、入力映像信号の信号レベル全体に亘って、入力映像信号の信号レベルを上昇させて補正映像信号を生成する。したがって、入力映像信号全体のバランスを保った状態で補正映像信号を生成することができる。
【００３２】
上記のプラズマディスプレイ装置において、前記信号上昇処理部は、前記入力映像信号の信号レベルの最小値を上昇させて前記補正映像信号を生成することが好ましい。
【００３３】
この構成によれば、信号上昇処理部は、入力映像信号の信号レベルの最小値を上昇させて補正映像信号を生成する。信号レベルの最小値では放電セルは殆ど発光しないが、最小値を上昇させて補正映像信号を生成しているため、放電セルを強制的に発光させることができる。その結果、補正すべき信号レベルのみを補正し、補正による副作用を抑制しながら、放電セル内の電荷を活性化させる効果を得ることができ、放電不良の発生を防止することができる。
【００３４】
上記のプラズマディスプレイ装置において、前記信号上昇処理部は、前記入力映像信号の信号レベルが所定値以下の信号レベル全体を上昇させて前記補正映像信号を生成することが好ましい。
【００３５】
この構成によれば、信号上昇処理部は、入力映像信号の信号レベルが所定値以下の信号レベル全体を上昇させて補正映像信号を生成するため、入力映像信号のバランスをある程度保った状態で補正映像信号を生成することができる。
【００３６】
上記のプラズマディスプレイ装置において、前記信号上昇処理部は、前記補正映像信号の生成開始時から前記補正映像信号の生成開始後の第１時点まで、前記補正映像信号の信号レベルを前記入力映像信号の信号レベルから上昇させ、前記第１時点で上昇を停止させて前記第１時点後の第２時点まで同一レベルを維持し、前記第２時点から前記第２時点後の第３時点まで前記補正映像信号の信号レベルを低下させ、前記第３時点で前記補正映像信号の信号レベルを前記入力映像信号の信号レベルに戻して前記補正映像信号の生成を終了することが好ましい。
【００３７】
この構成によれば、信号上昇処理部は、補正映像信号の生成開始時から補正映像信号の生成開始後の第１時点まで、補正映像信号の信号レベルを入力映像信号の信号レベルから上昇させる。信号上昇処理部は、第１時点で上昇を停止させて第１時点後の第２時点まで同一レベルを維持する。信号上昇処理部は、第２時点から第２時点後の第３時点まで補正映像信号の信号レベルを低下させ、第３時点で補正映像信号の信号レベルを入力映像信号の信号レベルに戻して補正映像信号の生成を終了する。したがって、補正映像信号の信号レベルを滑らかに上昇及び低下させることができるため、補正映像信号の信号レベルの上昇及び低下が目立つことはないという利点がある。また、補正映像信号の信号レベルが、第１時点から第２時点までの間、上昇したレベルに保たれるため、上昇したレベルを保たない場合に比べて、より長い時間に亘って、放電セルを強制的に発光させることができる。その結果、より確実に、放電セル内の電荷を活性化させる効果を得ることができ、放電不良の発生を防止することができる。
【００３８】
上記のプラズマディスプレイ装置において、前記信号上昇処理部は、前記補正映像信号の生成開始時から前記補正映像信号の生成開始後の第４時点まで、前記補正映像信号の信号レベルを前記入力映像信号の信号レベルから上昇させ、前記第４時点で反転させて前記第４時点後の第５時点まで前記補正映像信号の信号レベルを低下させ、前記第５時点で前記補正映像信号の信号レベルを前記入力映像信号の信号レベルに戻して前記補正映像信号の生成を終了することが好ましい。
【００３９】
この構成によれば、信号上昇処理部は、補正映像信号の生成開始時から補正映像信号の生成開始後の第４時点まで、補正映像信号の信号レベルを入力映像信号の信号レベルから上昇させる。信号上昇処理部は、第４時点で反転させて第４時点後の第５時点まで補正映像信号の信号レベルを低下させ、第５時点で補正映像信号の信号レベルを入力映像信号の信号レベルに戻して補正映像信号の生成を終了する。したがって、補正映像信号の信号レベルを滑らかに上昇及び低下させることができるため、補正映像信号の信号レベルの上昇及び低下が目立つことはないという利点がある。
【００４０】
上記のプラズマディスプレイ装置において、前記放電セルを強制的に発光させるとは、前記走査電極と前記データ電極及び前記維持電極との間に駆動電圧を印加して前記放電セル内の電荷を活性化させるための初期化放電を発生させる初期化期間を前記サブフィールドの前記書込み期間の直前に設けることであることが好ましい。
【００４１】
この構成によれば、制御部は、指標が閾値以上と判定部により判定されると、駆動部を制御して、走査電極とデータ電極及び維持電極との間に駆動電圧を印加して放電セル内の電荷を活性化させるための初期化放電を発生させる初期化期間をサブフィールドの書込み期間の直前に設ける。したがって、放電不良の発生を防止することができる。また、輝度変化を表す指標が閾値以上の映像では、初期化放電に起因する放電セルの発光が目立たないという利点がある。
【００４２】
本発明の他の局面に係るプラズマディスプレイパネルの駆動方法は、走査電極と維持電極とデータ電極とを有する放電セルを含む画素が複数設けられたプラズマディスプレイパネルを駆動するプラズマディスプレイパネルの駆動方法であって、前記走査電極に走査パルスを印加するとともに前記データ電極に書込みパルスを印加して前記放電セルで選択的に書込み放電を発生させる書込み期間と、前記走査電極および前記維持電極に輝度重みに応じた維持パルスを交互に印加して、前記書込み期間において選択された放電セルで維持放電を発生させる維持期間と、を有するサブフィールドを複数含んで１フィールド期間を構成し、前記サブフィールドごとに、前記走査電極、前記維持電極及び前記データ電極に駆動電圧を印加し、前記フレームにおける前記入力映像信号の輝度変化を表す指標を検出し、検出された前記指標が予め設定された閾値以上か否かを判定し、前記指標が前記閾値以上と判定されると、前記放電セルを強制的に発光させる。
【００４３】
この構成によれば、プラズマディスプレイパネルは、走査電極と維持電極とデータ電極とを有する放電セルを含む画素が複数設けられている。走査電極に走査パルスを印加するとともにデータ電極に書込パルスを印加して放電セルで選択的に書込み放電を発生させる書込み期間と、走査電極および維持電極に輝度重みに応じた維持パルスを交互に印加して、書込み期間において選択された放電セルで維持放電を発生させる維持期間と、を有するサブフィールドを複数含んで１フィールド期間が構成されている。サブフィールドごとに、走査電極、維持電極及びデータ電極に駆動電圧が印加される。フレームにおける入力映像信号の輝度変化を表す指標が検出される。検出された指標が予め設定された閾値以上か否かが判定される。指標が閾値以上と判定されると、放電セルが強制的に発光される。放電セルを強制的に発光させることにより、放電セル内の電荷を活性化させる効果を得ることができるため、放電不良の発生を防止することができる。輝度変化を表す指標が閾値以上のときに放電セルを強制的に発光させているため、放電セルの発光が目立たないという利点がある。
【発明の効果】
【００４４】
本発明によれば、放電セルを強制的に発光させることにより、放電セル内の電荷を活性化させる効果を得ることができ、放電不良の発生を防止することができる。
【図面の簡単な説明】
【００４５】
【図１】本発明の一実施形態におけるプラズマディスプレイ装置の電気的構成を示すブロック図である。
【図２】本発明の一実施形態におけるプラズマディスプレイ装置に用いられるパネルの電極配列及び駆動回路を示す図である。
【図３】本発明の一実施形態におけるプラズマディスプレイ装置に用いられるパネルの分解斜視図である。
【図４】本発明の一実施形態におけるパネルの駆動を説明する模式図である。
【図５】輝度変化検出処理部により輝度変化として周波数を検出する例を説明する模式図で、（Ａ）はフレーム全体を示し、（Ｂ）は周波数検出に用いられるハイバスフィルタと同じサイズの画素群を示し、（Ｃ）は周波数検出に用いられるハイパスフィルタの一例を示す。
【図６】輝度変化検出処理部により輝度変化としてエッジを検出する例を説明する模式図である。
【図７】輝度変化を表す指標をブロックごとに求める別の例を説明する模式図である。
【図８】輝度変化を表す指標をブロックごとに求める別の例を説明する模式図である。
【図９】信号上昇処理部の構成を示すブロック図である。
【図１０】上昇係数算出処理部により実行される上昇係数算出処理の一例を説明する模式図で、（Ａ）は、入力信号レベルに対して上昇させた信号レベルを示し、（Ｂ）は、（Ａ）に示される信号レベルを実現するための上昇係数を示している。
【図１１】上昇係数算出処理部により実行される上昇係数算出処理の一例を説明する模式図で、（Ａ）は、入力信号レベルに対して上昇させた信号レベルを示し、（Ｂ）は、（Ａ）に示される信号レベルを実現するための上昇係数を示している。
【図１２】上昇係数算出処理部により実行される上昇係数算出処理の一例を説明する模式図で、（Ａ）は、入力信号レベルに対して上昇させた信号レベルを示し、（Ｂ）は、（Ａ）に示される信号レベルを実現するための上昇係数を示している。
【図１３】図９に示される補正係数算出処理部の構成を示すブロック図である。
【図１４】カウント値算出処理部の処理手順を示すフローチャートである。
【図１５】（Ａ）、（Ｂ）は、それぞれ、補正係数関数処理部が用いる補正係数関数の一例を示す模式図である。
【図１６】（Ａ）は、輝度変化が激しい映像の例を示し、（Ｂ）は、輝度変化がない映像の例を示す。
【図１７】本発明の別の実施形態におけるプラズマディスプレイ装置の電気的構成を示すブロック図である。
【図１８】図１７に示される実施形態におけるパネルの電極配列及び駆動回路を示す図である。
【図１９】図１７に示される実施形態におけるパネルの駆動を説明する模式図である。
【発明を実施するための形態】
【００４６】
以下、本発明の実施形態におけるプラズマディスプレイ装置について、図面を用いて説明する。
【００４７】
図１は、本発明の一実施形態におけるプラズマディスプレイ装置の電気的構成を示すブロック図である。図２は、本発明の一実施形態におけるプラズマディスプレイ装置に用いられるプラズマディスプレイパネル（以下「パネル」という）１０の電極配列及び駆動回路を示す図である。図３は、本発明の一実施形態におけるプラズマディスプレイ装置に用いられるパネル１０の分解斜視図である。
【００４８】
図３に示されるように、ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。保護層２６は、放電を発生しやすくするために、電子放出性能の高い材料である酸化マグネシウムを用いて形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。赤の蛍光体としては、例えば（Ｙ，Ｇｄ）ＢＯ３：Ｅｕを、緑の蛍光体としては、例えばＺｎ２ＳｉＯ４：Ｍｎを、青の蛍光体としては、例えばＢａＭｇＡｌ１０Ｏ１７：Ｅｕをそれぞれ主成分とする蛍光体を用いている。
【００４９】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、放電ガスとして、例えばネオンとキセノンとの混合ガスが封入されている。放電空間は隔壁３４によって複数の区画に仕切られており、表示電極対２４とデータ電極３２とが交差する部分に放電セルＤＣ（図２）が形成されている。そしてこれらの放電セルＤＣが放電、発光することによりパネル１０に画像が表示される。なお、パネル１０の構造は上述したものに限られるわけではなく、例えばストライプ状の隔壁を備えたものであってもよい。
【００５０】
図２に示されるように、パネル１０には、行方向に延びるｎ本の走査電極ＳＣ１〜走査電極ＳＣｎを含む走査電極２２およびｎ本の維持電極ＳＵ１〜維持電極ＳＵｎを含む維持電極２３が配列され、列方向に延びるｍ本のデータ電極Ｄ１〜データ電極Ｄｍを含むデータ電極３２が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルＤＣが形成され、放電セルＤＣは放電空間内にｍ×ｎ個形成されている。
【００５１】
図１において、輝度変化検出処理部１１１は、入力映像信号Ｖｉを受け取り、輝度変化を検出し、輝度変化信号Ｓｆを出力する。遅延処理部１１２は、輝度変化検出処理部１１１での処理時間分だけ入力映像信号Ｖｉを遅延させ、遅延映像信号Ｖｉｄを出力する。信号上昇処理部１１３は、輝度変化信号Ｓｆが閾値以上か否かを判定し、閾値以上と判定すると、遅延映像信号Ｖｉｄの信号レベルを上昇させた補正映像信号Ｖｉｃを生成し、信号変換処理部１１４に出力する。
【００５２】
信号変換処理部１１４は、補正映像信号Ｖｉｃからパネル１０に映像を表示するための駆動信号を生成し、データ駆動回路１１５および書込・維持・消去駆動回路１１６に出力する。データ駆動回路１１５は、信号変換処理部１１４からの駆動信号に応じて、パネル１０のデータ電極３２を駆動する。書込・維持・消去駆動回路１１６は、信号変換処理部１１４からの駆動信号に応じて、書込み動作、維持動作、消去動作を行う。書込み期間において、書込・維持・消去駆動回路１１６は、信号変換処理部１１４からの駆動信号に基づき、走査電極２２に走査パルスを印加するとともに、データ駆動回路１１５は、信号変換処理部１１４からの駆動信号に基づき、データ電極３２に書込みパルスを印加して、発光させるべき放電セルＤＣで選択的に書込み放電を発生し、壁電荷を形成する書込み動作を行う。維持期間において、書込・維持・消去駆動回路１１６は、信号変換処理部１１４からの駆動信号に基づき、サブフィールド毎に予め決められた輝度重みに応じた数の維持パルス（図１９の維持期間におけるパルス）を走査電極２２及び維持電極２３からなる表示電極対２４に交互に印加して、書込み放電を発生した放電セルＤＣで維持放電を発生させて発光させる維持動作を行う。消去期間において、書込・維持・消去駆動回路１１６は、信号変換処理部１１４からの駆動信号に基づき、走査電極２２及び維持電極２３からなる表示電極対２４に電圧を印加して、直前の書込み期間において書込み放電を発生した放電セルＤＣのみで選択的に消去放電を発生し、書込み放電またはそれに続く維持放電で形成された壁電荷の履歴を消去し、続く書込み放電に必要な壁電荷を各電極上に形成する消去動作を行う。本実施形態において、輝度変化検出処理部１１１が検出部の一例に対応し、信号上昇処理部１１３および信号変換処理部１１４が制御部の一例に対応する。また、データ駆動回路１１５および書込・維持・消去駆動回路１１６が駆動部の一例に対応する。
【００５３】
図４は、本実施形態におけるパネル１０の駆動を説明する模式図である。本実施形態のプラズマディスプレイ装置は、サブフィールド法、すなわち１フィールドを複数のサブフィールドに分割し、サブフィールド毎に各放電セルの発光・非発光を制御することによって、映像をパネル１０に表示する。
【００５４】
信号変換処理部１１４により生成されるサブフィールドの構成は、図４に示される駆動では、例えば、１フィールドを７のサブフィールド（ＳＦ１、ＳＦ２、・・・、ＳＦ７）に分割し、各サブフィールドはそれぞれ、（１、２、４、８、１６、３２、６４）の輝度重みを持つ。図４に示される駆動では、各サブフィールドは、書込み期間、維持期間及び消去期間のみを有し、初期化期間が設けられていない。なお、本発明は、上記のサブフィールド数、輝度重み等のサブフィールド構成に限定されるものではない。
【００５５】
図５は、輝度変化検出処理部１１１により輝度変化として周波数を検出する例を説明する模式図である。図５（Ａ）はフレームＦ全体を示し、図５（Ｂ）は周波数検出に用いられるハイパスフィルタと同じサイズ（３×３）の画素群Ｘを示し、図５（Ｃ）は周波数検出に用いられるハイパスフィルタの一例を示す。
【００５６】
図５（Ａ）に示されるように、フレームＦは複数の画素Ｐを含む。フレームＦに含まれる画素Ｐのうち、所定数（図５（Ａ）では４×４＝１６個）の画素ＰによりブロックＢが構成される。
【００５７】
輝度変化検出処理部１１１は、まず、フレームＦにおいて、図５（Ｂ）に示されるように、注目画素Ｐ０を中心として３×３画素の画素群Ｘを抜き出し、この抜き出した画素群Ｘに対して、図５（Ｃ）に示されるハイパスフィルタを掛け合わせ、フィルタ値を算出する。このフィルタ値が注目画素Ｐ０の輝度変化を表す指標（以下、単に「指標」とも言う）となる。フィルタ値は、注目画素Ｐ０の輝度変化の激しさを表す指標となっている。
【００５８】
画素単位で輝度変化を表す指標を求める場合には、図５（Ａ）に示されるフレームＦの各画素を順に注目画素としてフィルタ値を求める。代替的に、ブロック単位で輝度変化を表す指標を求めてもよい。例えば図５（Ａ）に示されるブロックＢにおける指標は、ブロックＢに含まれる各画素（図５（Ａ）では１６個）について求めた上記フィルタ値の総和をブロックＢの指標とする。さらに代替的に、フレーム単位で輝度変化を表す指標を求めてもよい。例えば図５（Ａ）に示されるフレームＦにおける指標は、フレームＦに含まれる全ての画素について求めた上記フィルタ値の総和をフレームＦの指標とする。輝度変化検出処理部１１１は、求めた輝度変化を表す指標（図５ではフィルタ値）を輝度変化信号Ｓｆとして出力する。
【００５９】
図６は、輝度変化検出処理部１１１により輝度変化としてエッジを検出する例を説明する模式図である。図６に示されるように、フレームＦは複数の画素Ｐを含む。フレームＦに含まれる画素Ｐのうち、所定数（図６では４×４＝１６個）の画素ＰによりブロックＢが構成される。
【００６０】
輝度変化検出処理部１１１は、まず、フレームＦにおいて、図６に示されるように、注目画素Ｐ０の入力映像信号と、その上下左右の隣接画素の入力映像信号との信号レベルの差分をそれぞれ求め、求めた差分がそれぞれ予め設定された閾値以上であれば、＋１をカウントし、その和をエッジ値とする。つまり、エッジ値は０〜４の値をとる。エッジ値は、注目画素Ｐ０の輝度変化の激しさを表す指標となっている。
【００６１】
画素単位で輝度変化を表す指標を求める場合には、図６に示されるフレームＦの各画素を順に注目画素として求めたエッジ値が各画素の指標となる。代替的に、ブロック単位で輝度変化を表す指標を求めてもよい。例えば図６に示されるブロックＢにおける指標は、ブロックＢに含まれる各画素（図６では１６個）について求めた上記エッジ値の総和とする。さらに代替的に、フレーム単位で輝度変化を表す指標を求めてもよい。例えば図６に示されるフレームＦにおける指標は、フレームＦに含まれる全ての画素について求めた上記エッジ値の総和とする。輝度変化検出処理部１１１は、求めた輝度変化を表す指標（図６ではエッジ値）を、輝度変化信号Ｓｆとして出力する。
【００６２】
図７及び図８は、輝度変化を表す指標をブロックごとに求める別の例を説明する模式図である。図７及び図８では、３×３画素ごとのブロックに分割されている。なお、図７及び図８では、指標は、上記フィルタ値でもエッジ値でもよい。
【００６３】
図７では、例えばブロックＢ１に含まれる各画素の指標の平均値をブロックＢ１の指標Ｉｆ＝２０とする。図７では、ブロックＢ２の指標Ｉｆ＝３０、ブロックＢ３の指標Ｉｆ＝５０、ブロックＢ４の指標Ｉｆ＝９０となっている。このように、図７では、各ブロックに含まれる画素の指標の平均値を当該ブロックの指標としている。
【００６４】
図８では、各ブロックの中央の画素の指標を求め、その指標を当該ブロックの指標としている。すなわち、ブロックＢ１の指標は、中央の画素の指標２０であり、同様に、ブロックＢ２，Ｂ３，Ｂ４の指標は、それぞれ、中央の画素の指標３０，５０，９０である。
【００６５】
図８では、さらに、ブロックの中央の画素以外の画素の指標を、その画素を含むブロックの指標と、隣接する周辺ブロックの指標との線形補間によって求めている。例えば、ブロックＢ１の画素Ｐｉ１の指標Ｉｆ（Ｐｉ１）は、ブロックＢ１の中央の画素Ｐｂ１の指標２０と、ブロックＢ１の画素Ｐｉ１が隣接するブロックＢ２の中央の画素Ｐｂ２の指標３０とを線形補間することで、
Ｉｆ（Ｐｉ１）＝（２０×２＋３０×１）／３＝２３．３
によって求められる。本実施形態において、ブロックＢ１が第１ブロックの一例に対応し、ブロックＢ２が第２ブロックの一例に対応する。また、ブロックＢ１の中央の画素Ｐｂ１が第１画素の一例に対応し、ブロックＢ２の中央の画素Ｐｂ２が第２画素の一例に対応し、ブロックＢ１の画素Ｐｉ１が第３画素の一例に対応する。
【００６６】
図９は、信号上昇処理部１１３の構成を示すブロック図である。図９に示されるように、信号上昇処理部１１３は、上昇係数算出処理部１２１、補正係数算出処理部１２２、乗算器１２３及び加算器１２４を備える。上昇係数算出処理部１２１は、遅延映像信号Ｖｉｄに基づき、上昇係数Ｉceを算出して、乗算器１２３に出力する。補正係数算出処理部１２２は、輝度変化検出処理部１１１（図１）から出力される輝度変化信号Ｓｆと映像信号に含まれる垂直同期信号Ｖrefとから補正係数Ｃceを算出して乗算器１２３に出力する。次に、上昇係数算出処理部１２１の処理が詳述される。補正係数算出処理部１２２、乗算器１２３及び加算器１２４の処理は後に詳述される。
【００６７】
図１０〜図１２は、それぞれ、上昇係数算出処理部１２１により実行される上昇係数算出処理の一例を説明する模式図である。図１０（Ａ）、図１１（Ａ）、図１２（Ａ）は、それぞれ、入力信号レベルに対して上昇させた信号レベルを示し、図１０（Ｂ）、図１１（Ｂ）、図１２（Ｂ）は、それぞれ、図１０（Ａ）、図１１（Ａ）、図１２（Ａ）に示される信号レベルを実現するための上昇係数を示している。図１０〜図１２において、ＩＳmaxは入力信号レベルの最大値を示し、ＯＳmaxは出力信号レベルの最大値を示す。図１０〜図１２から分かるように、ＯＳmax＝ＩＳmaxが維持されている。ここで、入力信号レベルは、輝度を表す信号のレベルでもよい。
【００６８】
図１０（Ａ）では、上昇係数算出処理部１２１は、入力信号の信号レベル全体を上昇させている。上昇係数算出処理部１２１は、入力信号レベルの値ゼロを出力信号レベルの値ＯＳ１（＞０）に上昇させ、ＯＳmax＝ＩＳmaxを維持したまま直線状に上昇させている。この補正を実現する上昇係数を算出するための関数が図１０（Ｂ）に示されている。つまり、上昇係数算出処理部１２１は、図１０（Ｂ）に示される関数を記憶しておき、この関数に基づき上昇係数を算出して入力信号に加算し、図１０（Ａ）に示される出力信号を得る。上昇係数算出処理部１２１による上昇係数算出処理は、図１０に示されるものに限られない。代替的に、上昇係数算出処理部１２１は、図１１または図１２に示される上昇係数算出処理を実行してもよい。
【００６９】
図１１（Ａ）では、上昇係数算出処理部１２１は、入力信号の信号レベルの最小値を上昇させている。図１１（Ａ）において、ＯＳ２＝ＩＳ２である。上昇係数算出処理部１２１は、信号レベルが０〜ＩＳ２の範囲の入力信号を一定の信号レベルＯＳ２に上昇させている。この補正を実現する上昇係数を算出するための関数が図１１（Ｂ）に示されている。つまり、上昇係数算出処理部１２１は、図１１（Ｂ）に示される関数を記憶しておき、この関数に基づき上昇係数を算出して入力信号に加算し、図１１（Ａ）に示される出力信号を得る。
【００７０】
図１２（Ａ）では、上昇係数算出処理部１２１は、入力信号の信号レベルの所定値以下のレベル全体を上昇させている。図１２（Ａ）において、ＯＳ３＝ＩＳ３である。上昇係数算出処理部１２１は、入力信号レベルの値ゼロを出力信号レベルの値ＯＳ４（＞０）に上昇させ、ＯＳ３＝ＩＳ３を維持したまま、信号レベルが０〜ＩＳ３の範囲の入力信号を直線状に上昇させている。この補正を実現する上昇係数を算出するための関数が図１２（Ｂ）に示されている。つまり、上昇係数算出処理部１２１は、図１２（Ｂ）に示される関数を記憶しておき、この関数に基づき上昇係数を算出して入力信号に加算し、図１２（Ａ）に示される出力信号を得る。
【００７１】
上昇係数算出処理部１２１は、図１０、図１１、図１２のいずれの上昇係数算出処理を行ってもよい。図１０では、入力信号の信号レベル全体に亘って上昇させているので、一部のみを一定値に上昇させている図１１に比べて、信号全体のバランスが崩れないという利点がある。図１２は、図１０と図１１との中間的な上昇処理である。
【００７２】
図１３は、図９に示される補正係数算出処理部１２２の構成を示すブロック図である。図１３において、記憶部１３１は、閾値ＴＨを記憶している。判定部１３２は、輝度変化検出処理部１１１（図１）から出力される輝度変化信号Ｓｆと記憶部１３１に記憶されている閾値ＴＨとを比較し、ＴＨ≦Ｓfであれば上昇開始信号Ｓs＝１をカウント値算出処理部１３４に出力し、ＴＨ＞Ｓfであれば上昇開始信号Ｓs＝０をカウント値算出処理部１３４に出力する。本実施形態において、判定部１３２を含む信号上昇処理部１１３が判定部の一例に対応する。
【００７３】
映像開始信号生成部１３３は、垂直同期信号Ｖrefから映像開始信号Ｖsを生成し、カウント値算出処理部１３４に出力する。映像開始信号生成部１３３は、１フレームの開始時のみＶs＝１とし、それ以外はＶs＝０とする。カウント値算出処理部１３４は、判定部１３２からの上昇開始信号Ｓsと映像開始信号生成部１３３からの映像開始信号Ｖsとに基づき、ＯＮ／ＯＦＦ信号Ｓon/offとカウント値ＣＴとを生成し、補正係数関数処理部１３５に出力する。次に、カウント値算出処理部１３４の処理が詳述される。補正係数関数処理部１３５は、後に詳述される。
【００７４】
図１４は、カウント値算出処理部１３４の処理手順を示すフローチャートである。図１４に示される手順は、映像開始信号Ｖs＝１の出力ごとに開始される。まず、カウント値算出処理部１３４は、カウント値ＣＴ＝０か否かを判別する（ステップＳ１０）。上昇処理が開始されていない最初の状態では、ＣＴ＝０であるので（ステップＳ１０でＹＥＳ）、次いで、上昇開始信号Ｓs＝１か否かを判別する（ステップＳ１２）。Ｓs＝１であれば（ステップＳ１２でＹＥＳ）、ＯＮ／ＯＦＦ信号Ｓon/off＝１とし、カウント値ＣＴ＝１として（ステップＳ１４）、終了する。ＣＴ＝０は、上昇処理が開始されていなかったことを表すため、ＣＴ＝０かつＳs＝１は、これから上昇処理を開始することを表す。
【００７５】
ステップＳ１２において、上昇開始信号Ｓs＝１でなければ（ステップＳ１２でＮＯ）、輝度変化信号Ｓｆが閾値ＴＨ以下であるので、ＯＮ／ＯＦＦ信号Ｓon/off＝０とし、カウント値ＣＴ＝０として（ステップＳ１６）、終了する。
【００７６】
ステップＳ１０において、前回までのステップＳ１４でＣＴ＞０にされていた場合には（ステップＳ１０でＮＯ）、ステップＳ１８に進む。ステップＳ１８では、カウント値算出処理部１３４は、カウント値ＣＴと予め設定されたカウント値の最大値Ｃmaxとを比較し、ＣＴ＝Ｃmaxでなければ（ステップＳ１８でＮＯ）、ＯＮ／ＯＦＦ信号Ｓon/off＝１とし、ＣＴ＝ＣＴ＋１として（ステップＳ２２）、終了する。
【００７７】
つまり、カウント値ＣＴは、最大値Ｃmaxに等しくなるまでは、１ずつインクリメントされることとなる。図１４に示されるルーチンは、上述のように、映像開始信号Ｖs＝１の出力ごとに開始される。したがって、カウント値ＣＴは、上昇処理を開始後のフレーム数を表す。
【００７８】
ステップＳ１８において、ＣＴ＝Ｃmaxであれば（ステップＳ１８でＹＥＳ）、カウント値ＣＴが最大値Ｃmaxに達したので、ＯＮ／ＯＦＦ信号Ｓon/off＝０とし、ＣＴ＝０として（ステップＳ２０）、終了する。したがって、最大値Ｃmaxは、上昇処理を実行するフレーム数を表す。
【００７９】
図１４では、ステップＳ１２において、上昇開始信号Ｓs＝１でカウント値ＣＴ＝１、ＯＮ／ＯＦＦ信号Ｓon/off＝１となった後は、上昇開始信号Ｓsを判定していない。すなわち、カウント値算出処理部１３４は、一旦、信号上昇処理を開始した後は、上昇開始信号Ｓs＝０に戻っても、上昇処理が終了するまで、図１４に示される処理を継続する。
【００８０】
図１５（Ａ）、図１５（Ｂ）は、それぞれ、補正係数関数処理部１３５が用いる補正係数関数の一例を示す模式図である。図１５（Ａ）、図１５（Ｂ）において、横軸はカウント値ＣＴを表し、縦軸は補正係数Ｃceを表す。カウント値ＣＴは、上述のように、信号上昇処理を開始後のフレーム数を表し、信号上昇処理開始後の経過時間に対応する。図１５（Ａ）、図１５（Ｂ）に示されるように、補正係数Ｃceは、０≦Ｃce≦１の範囲の値をとる。
【００８１】
補正係数関数処理部１３５は、ＯＮ／ＯＦＦ信号Ｓon/off＝０のときは、補正係数Ｃce＝０とし、ＯＮ／ＯＦＦ信号Ｓon/off＝１のときは、例えば図１５（Ａ）、図１５（Ｂ）に示される補正係数関数から補正係数Ｃceを求める。
【００８２】
図１５（Ａ）に示される補正係数関数では、補正係数Ｃceは、カウント値ＣＴ＝０の信号上昇処理開始時点からカウント値ＣＴ＝ＣＴ１（第１時点の一例に対応）まで直線状に上昇し、カウント値ＣＴ＝ＣＴ１でＣce＝１になると、カウント値ＣＴ＝ＣＴ１（第１時点）からカウント値ＣＴ＝ＣＴ２（第２時点の一例に対応）まで、Ｃce＝１が維持される。カウント値ＣＴ＝ＣＴ２から補正係数Ｃceは減少を開始し、カウント値ＣＴ＝Ｃmax（第３時点の一例に対応）で補正係数Ｃce＝０となり、上昇処理を終了する。
【００８３】
図１５（Ｂ）に示される補正係数関数では、補正係数Ｃceは、カウント値ＣＴ＝０の信号上昇処理開始時点からカウント値ＣＴ＝ＣＴ３（第４時点の一例に対応）まで直線状に上昇し、カウント値ＣＴ＝ＣＴ３でＣce＝１になると、補正係数Ｃceは反転して減少を開始し、カウント値ＣＴ＝Ｃmax（第５時点の一例に対応）で、補正係数Ｃce＝０となり、上昇処理を終了する。
【００８４】
図９に戻って、乗算器１２３は、上昇係数Ｉceと補正係数Ｃceとを乗算し、乗算結果を補正上昇係数ＣＩceとして加算器１２４に出力する。加算器１２４は、遅延映像信号Ｖidと補正上昇係数ＣＩceとを加算して、補正映像信号Ｖicとして出力する。
【００８５】
図１５（Ａ）、図１５（Ｂ）に示されるような補正係数関数から補正係数Ｃceを求め、求めた補正係数Ｃceと上昇係数Ｉceとを乗算器１２３により乗算しているため、上昇処理の開始時及び終了時は、補正上昇係数ＣＩceは徐々に増大及び減少することから、上昇処理の開始時及び終了時に境界が目立つことがない。
【００８６】
また、図１５（Ａ）に示される補正係数関数から補正係数Ｃceを求めた場合には、カウント値ＣＴ＝ＣＴ１からカウント値ＣＴ＝ＣＴ２まで、Ｃce＝１が維持される。したがって、補正映像信号Ｖicの信号レベルが上昇した状態が継続されることから、図１５（Ｂ）に示される補正係数関数を用いる場合に比べて、より長い時間、放電セルを強制的に発光させることができる。
【００８７】
図１６（Ａ）は、輝度変化が激しい映像の例を示し、図１６（Ｂ）は、輝度変化がない映像の例を示す。図１６（Ａ）に示されるように、輝度変化が激しい映像では、輝度変化が妨害刺激となって、黒表示の画素を発光させても視聴者は気づき難い。これに対して、図１６（Ｂ）に示されるように、輝度変化がない映像では、黒表示の画素を発光させると視聴者は気づき易い。そこで、この実施形態では、図１６（Ａ）に示されるように、輝度変化を表す指標が閾値以上のときのみ（つまり輝度変化が激しい映像のときのみ）、放電セルを強制的に発光させている。代替的に、この実施形態では、輝度変化を表す指標が閾値以上のブロックのみ（つまり輝度変化が激しいブロックのみ）、放電セルを強制的に発光させている。さらに代替的に、輝度変化を表す指標が閾値以上の画素のみ（つまり輝度変化が激しい画素のみ）、放電セルを強制的に発光させている。
【００８８】
このように、この実施形態では、放電セルを強制的に発光させることにより、初期化動作を行わなくても、視聴者に気づかれることなく、放電セル内の電荷を活性化させる効果を得ることができる。その結果、放電不良の発生を防止することができる。
【００８９】
上記実施形態では、信号上昇処理によって、放電セルを強制的に発光させるようにしている。代替的に、映像信号の輝度変化を表す指標が閾値以上のときに、初期化動作を行う初期化期間をサブフィールドに設けるようにしてもよい。以下、上記実施形態と異なる点を中心として、初期化期間を設ける実施形態が説明される。
【００９０】
図１７は、別の実施形態におけるプラズマディスプレイ装置の電気的構成を示すブロック図である。図１８は、図１７に示される実施形態におけるパネル１０の電極配列及び駆動回路を示す図である。図１９は、図１７に示される実施形態におけるパネル１０の駆動を説明する模式図である。
【００９１】
図１７に示されるプラズマディスプレイ装置は、データ駆動回路１１５及び書込・維持・消去駆動回路１１６に加えて、初期化駆動回路１１７を備える。また、信号変換処理部１１４に代えて、信号変換処理部１４１を備える。また、輝度変化検出処理部１１１は、輝度変化信号Ｓfを信号変換処理部１４１に出力する。
【００９２】
信号変換処理部１４１は、閾値ＴＨを記憶している。信号変換処理部１４１は、輝度変化検出処理部１１１からの輝度変化信号Ｓfと閾値ＴＨとを比較する。信号変換処理部１４１は、Ｓf≦ＴＨであれば、初期化期間を設けない。つまり、上記実施形態と同様に、信号変換処理部１４１は、データ駆動回路１１５及び書込・維持・消去駆動回路１１６を制御して、図４に示される駆動を行う。
【００９３】
一方、信号変換処理部１４１は、輝度変化信号Ｓfと閾値ＴＨとの比較結果がＳf＞ＴＨであれば、初期化駆動回路１１７を制御して、走査電極２２とデータ電極３２及び維持電極２３との間に駆動電圧を印加して放電セル内の電荷を活性化させるための初期化放電を発生させる初期化期間をサブフィールドの書込み期間の直前に設けて、図１９に示される駆動を行う。本実施形態において、輝度変化検出処理部１１１が検出部の一例に対応し、信号変換処理部１４１が判定部及び制御部の一例に対応する。また、データ駆動回路１１５、書込・維持・消去駆動回路１１６及び初期化駆動回路１１７が駆動部の一例に対応する。
【００９４】
信号変換処理部１４１により生成されるサブフィールドの構成は、図１９に示される駆動では、例えば、１フィールドを７のサブフィールド（ＳＦ１、ＳＦ２、・・・、ＳＦ７）に分割し、各サブフィールドはそれぞれ、（１、２、４、８、１６、３２、６４）の輝度重みを持つ。図１９に示される駆動では、先頭のサブフィールドにのみ、初期化期間が設けられている。
【００９５】
初期化期間では、図１９に示されるように、公知の駆動電圧波形が印加されている。すなわち、初期化期間の前半では、全てのデータ電極３２および全ての維持電極２３を０Ｖに保持し、全ての走査電極２２には、全ての維持電極２３に対して放電開始電圧以下の電圧から、その放電開始電圧を超える電圧に向かって緩やかに上昇するランプ電圧が印加される。また、初期化期間の後半では、全ての維持電極２３を正電圧に保ち、全ての走査電極２２には、全ての維持電極２３に対して放電開始電圧以下となる電圧から、放電開始電圧を超える０Ｖに向かって緩やかに下降するランプ電圧が印加される。これによって、放電セル内の電荷が活性化されて、書込み動作に適した状態になる。なお、本発明は、上記のサブフィールド数、輝度重み等のサブフィールド構成に限定されるものではない。
【００９６】
図１７ないし図１９に示される実施形態によれば、輝度変化信号Ｓfと閾値ＴＨとがＳf≧ＴＨとなる映像（つまり輝度変化の激しい映像）では、初期化放電により黒表示の輝度が上昇しても目立たないため、画質を劣化させることなく、放電不良の発生を防止できるという利点がある。
【００９７】
なお、図１９では、先頭のサブフィールドＳＦ１にのみ初期化期間を設けているが、これに限られない。代替的に、先頭のサブフィールドＳＦ１以外のサブフィールドＳＦ２〜ＳＦ７の全部または一部に、初期化期間を設けてもよい。
【産業上の利用可能性】
【００９８】
本発明は、放電セルを強制的に発光させることにより、放電セル内の電荷を活性化させる効果を得ることができ、放電不良の発生を防止することができるため、プラズマディスプレイ装置およびプラズマディスプレイパネルの駆動方法として有用である。
【符号の説明】
【００９９】
１０  パネル
２２  走査電極
２３  維持電極
２４  表示電極対
３２  データ電極
１１１  輝度変化検出処理部
１１３  信号上昇処理部
１１４，１４１  信号変換処理部
１１５  データ駆動回路
１１６  書込・維持・消去駆動回路
１１７  初期化駆動回路
１３２  判定部
ＤＣ  放電セル
【図１】
2012225965.tif 000003
【図２】
2012225965.tif 000004
【図３】
2012225965.tif 000005
【図４】
2012225965.tif 000006
【図５】
2012225965.tif 000007
【図６】
2012225965.tif 000008
【図７】
2012225965.tif 000009
【図８】
2012225965.tif 000010
【図９】
2012225965.tif 000011
【図１０】
2012225965.tif 000012
【図１１】
2012225965.tif 000013
【図１２】
2012225965.tif 000014
【図１３】
2012225965.tif 000015
【図１４】
2012225965.tif 000016
【図１５】
2012225965.tif 000017
【図１６】
2012225965.tif 000018
【図１７】
2012225965.tif 000019
【図１８】
2012225965.tif 000020
【図１９】
2012225965.tif 000021